(57)【特許請求の範囲】
【請求項１】
透光性の樹脂材料からなる透過部と、非透光性の樹脂材料からなる不透過部と、を樹脂成形にて一体的に成形してなる成形樹脂部品と、
前記成形樹脂部品の背後に設けられる非透光性の樹脂材料からなる支持部材と、
前記支持部材に支持される光源と、を備え、
前記成形樹脂部品の背後に配置される前記光源によって前記透過部を照明する照明装置において、
前記光源の外周を覆うように、前記成形樹脂部品の裏側へと突出する透過性の筒状壁部を前記透過部と一体に設け、
前記筒状壁部の突出端部と透き間を介して部分的に重なり合うように配置される筒状部を、前記支持部材から一体に形成してなることを特徴とする照明装置。
【請求項２】
前記成形樹脂部品の表側に透過性の指標部を施したシート板を配置してなることを特徴とする請求項１に記載の照明装置。
【発明の詳細な説明】
【技術分野】
【０００１】
本発明は、例えばオートバイ、建設機械、農耕機械、船舶、雪上バイク、水上バイク等に搭載されるメーターパネル，スイッチパネル，銘板などの照明装置に関するものである。
【背景技術】
【０００２】
この種の照明装置にあっては、例えば特許文献１に開示されているように、スイッチパネルの背後側に、スイッチを収納するスイッチボックスが設けられ、このスイッチボックス内にスイッチが収納されている。
【０００３】
またスイッチボックスの側部には、光源が設けられ、この光源の光によってスイッチパネルに設けられた文字や記号などの表示部（例えばスイッチの動作状態を表す表示部）が透過照明されるように設けられている。
【先行技術文献】
【特許文献】
【０００４】
【特許文献１】実公昭５３ー４９３５１号公報
【発明の概要】
【発明が解決しようとする課題】
【０００５】
ところで、従来の表示板などの照明装置は、特許文献１に示されているように、光源自体がスイッチパネルの背後側でスイッチボックスの横に設置されているために、雨水や塵埃などに晒されやすいという問題がある。
【０００６】
このため、光源であるランプやＬＥＤなどから外部へと電気的に引き回し形成する場合、例えば光源であるランプおよびランプから外部へと接続端子を介して電気コードによって引き出し案内する箇所には合成ゴム製のソケットにより覆うことによって接続端子部分の腐食を防ぎ、通電状態を安定に保つようにしている。
【０００７】
また、光源であるランプの光をスイッチパネルの表示部箇所へと導くためには、光源の周りを防水・防塵のための壁部によって遮ることもできないため、光源であるランプやＬＥＤの発光部箇所が雨水や塵埃などによって晒される虞がある。
【０００８】
本発明はこの点に着目してなされたもので、建設機械や農業機械あるいはオートバイなどに搭載されるメーターパネル，スイッチパネル，銘板などの照明装置において、防塵性および防水性に優れた照明装置を提供することを目的とするものである。
【課題を解決するための手段】
【０００９】
本発明は、前述した課題を解決するため、
透光性の樹脂材料からなる透過部と、非透光性の樹脂材料からなる不透過部と、を樹脂成形にて一体的に成形してなる成形樹脂部品と、前記成形樹脂部品の背後に設けられる非透光性の樹脂材料からなる支持部材と、前記支持部材に支持される光源と、を備え、前記成形樹脂部品の背後に配置される前記光源によって前記透過部を照明する照明装置において、前記光源の外周を覆うように、前記成形樹脂部品の裏側へと突出する透過性の筒状壁部を前記透過部と一体に設け、前記筒状壁部の突出端部と透き間を介して部分的に重なり合うように配置される筒状部を、前記支持部材から一体に形成してなることを特徴とするものである。
【００１０】
このように構成することにより、光源（発光部箇所）の周りを透光性の筒状壁部によって覆うことにより、直接的に光源が水分や塵埃などで汚れることを抑えることができる。また、光源を覆う筒状壁部は成形樹脂部品である透過部から一体に成形にて形成されるため、部品点数も増えることもなく、光源からの照射光が遮られることなく透過部を照明することができる。
【００１２】
また、成形樹脂部品である透過部から一体に成形された筒状壁部の突出端部と、支持部材から一体に成形された筒状部の端部側とを部分的にラップするように設けることにより、外部から光源側に入り込もうとする水滴などを未然に防ぐことが可能となり、防水性をさらに向上することができる。また光源から発熱した熱は、部分的に筒状壁部の突出端部と筒状部の端部側とが部分的にラップするように設けてなることにより、そのラップする箇所（空隙箇所）から外部へと放熱することができる。
【００１３】
また、前記成形樹脂部品の表側に透過性の指標部を施したシート板を配置してなることを特徴とするものである。
【００１４】
このように構成することにより、光源からの照射光線は透過性の筒状壁部を透過し、成形樹脂部品の透過部を通してシート板の指標部が透過照明される。この際、指標部の色合いを設定することにより任意の色合いにて透過照明することが可能となる。
【発明の効果】
【００１５】
本発明では、透光性の樹脂材料からなる透過部と、非透光性の樹脂材料からなる不透過部と、を樹脂成形にて一体的に成形してなる成形樹脂部品と、前記成形樹脂部品の背後に設けられる非透光性の樹脂材料からなる支持部材と、前記支持部材に支持される光源と、を備え、前記成形樹脂部品の背後に配置される前記光源によって前記透過部を照明する照明装置において、前記光源の外周を覆うように、前記成形樹脂部品の裏側へと突出する透過性の筒状壁部を前記透過部と一体に設けてなることを特徴とするものであるため、光源（発光部箇所）の周りを透光性の筒状壁部によって覆うことにより、直接的に光源が水分や塵埃などで汚れることを抑えることができる。また、光源を覆う筒状壁部は成形樹脂部品である透過部から一体に成形にて形成されるため、部品点数も増えることもなく、しかも光源からの照射光が遮られることなく透過部を照明することができるものであり、これにより初期の目的を達成することができる。
【図面の簡単な説明】
【００１６】
【図１】図１は、本発明の第１実施形態を示す照明装置の正面図である。
【図２】図２は、図１の要部を示すＡ−Ａ線断面図である。
【図３】図３は、図２の要部を示す拡大断面図である。
【発明を実施するための形態】
【００１７】
以下、添付図面に基づいて、本発明を建設機械のスイッチパネルにおける照明装置に適用した実施形態に基づいて説明する。
【００１８】
図１から図３は、本発明の第１実施形態を示すもので、以下、これらに基づいて本発明の実施形態を説明する。なお、図１は本発明の第１実施形態による建設機械のスイッチパネルにおける照明装置の正面図であり、図２は、図１の要部を示すＡ−Ａ線断面図であり、図３は、図２の要部を示す拡大断面図である。
【００１９】
同図において、本実施形態による照明装置としては、建設機械の運転座席の横や前側には操縦ボックスが設けられるとともに、この操縦ボックスの近辺に操作盤であるスイッチパネル部材Ｐが設けられている。この場合、スイッチパネル部材Ｐは外装部材である合成樹脂製からなるケース１（上側ケース１１と下側ケース１２とによる収納空間）内に、イグニッションスイッチＳ１やワイパースイッチＳ２、照明灯切り換えスイッチＳ３などが収容されたり、あるいは組み付け固定されている。
【００２０】
また上側ケース１１は、透光性の樹脂材料からなる透過部１１０と、非透光性の樹脂材料からなる不透過部１１１とを樹脂成形にて一体に成形してなる成形樹脂部品により形成されている。
【００２１】
また上側ケース１１の表面側には、各スイッチＳ１，Ｓ２，Ｓ３の操作状態を表す文字や数字あるいは絵表示などの透過性の指標部２ａが施されたシート板２が貼り付けられている。
【００２２】
また下側ケース１２は、この実施形態においては、透光性の樹脂材料からなる透過部１１０を照明したり、シート板２の指標部を透過照明するための照明用の光源３（照明ランプ）を組み付け固定するための支持部材として設けられている。
【００２３】
なお、光源３は図示しない接続端子を介して配線コード４によって建設機械の電源側であるバッテリーへと電気的に引き回し形成されており、光源３である照明ランプの周囲は合成ゴム製のソケット３ａにより覆うことによって接続端子部分の腐食を防ぎ、通電状態を安定に保つようにしている。
【００２４】
また各スイッチＳ１，Ｓ２，Ｓ３は光源３と同様にして配線コード４を介して建設機械の電源側であるバッテリーへと電気的に引き回し形成されている。
【００２５】
また図２に示すように、成形樹脂部品である上側ケース１１に設けられた透光性の樹脂材料からなる透過部１１０箇所には、上側ケース１１の開口孔部１１ａが設けられ、この開口孔部１１ａにイグニッションスイッチＳ１のキーシリンダーが挿通されて組み付け固定されている。
【００２６】
この際、シート板２には、上側ケース１１の開口孔部１１ａよりも径大な開口孔２ｂが形成され、この開口孔２ｂによって上側ケース１１の開口孔部１１ａの周囲箇所が前面から判別することができるようにリング状透過部１１０ａとして設けられている。
【００２７】
リング状透過部１１０ａの背面側には、光源３からの照射光線を反射導光するための反射面１１０ｂが形成されている。
【００２８】
本実施形態においては、光源３の外周を覆うように、成形樹脂部品である上側ケース１１の裏側へと向けて突出する透過性の筒状壁部１１００が透過部１１０から一体に設けられている。
【００２９】
また光源３を支持するための支持部材となる下側ケース１２には、筒状壁部１１００の突出端部と部分的に重なり合うように配置される筒状部１２０が、下側ケース１２から一体に設けられている。この際、本実施形態にあっては、図３に示すように、下側ケース１２に設けられた筒状部１２０の外径寸法に対して、上側ケース１１に設けられた筒状壁部１１００の外径寸法は大きく設定され、筒状壁部１１００の内径となる壁部と筒状部１２０の外径となる壁部との間には透き間Ｇが設けられるように設定している。
【００３０】
なお、下側ケース１２の底面側には、金属製の材料からなる取付ステー部材５が固定保持され、この取付ステー部材５は、建設機械の本体となる車体側に組み付け固定される。
【００３１】
以上のように第１の実施形態による照明装置にあっては、透光性の樹脂材料からなる透過部１１０と、非透光性の樹脂材料からなる不透過部１１１と、を樹脂成形にて一体的に成形してなる成形樹脂部品（上側ケース１１）と、成形樹脂部品（上側ケース１１）の背後に設けられる非透光性の樹脂材料からなる支持部材（下側ケース１２）と、支持部材（下側ケース１２）に支持される光源３と、を備え、成形樹脂部品（上側ケース１１）の背後に配置される光源３によって透過部１１０を照明する照明装置において、光源３の外周を覆うように、成形樹脂部品（上側ケース１１）の裏側へと突出する透過性の筒状壁部１１００を透過部１１０と一体に設けてなることにより、光源３（発光部箇所）の周りを透光性の筒状壁部１１００によって覆うことにより、直接的に光源３が水分や塵埃などで汚れることを抑えることができるものであり、また光源３を覆う筒状壁部１１００は成形樹脂部品（上側ケース１１）である透過部１１０から一体に成形にて形成されるため、部品点数も増えることもなく、光源３からの照射光が遮られることなく透過部１１０を照明することができる。
【００３２】
また、図３に示すように、下側ケース１２に設けられた筒状部１２０の外径寸法に対して、上側ケース１１に設けられた筒状壁部１１００の外径寸法を大きく設定し、筒状壁部１１００の内径となる壁部と筒状部１２０の外径となる壁部との間には透き間Ｇが設けられるように設定してなることにより、結果として、成形樹脂部品である上側ケース１１の透過部１１０から一体に成形された筒状壁部１１００の突出端部と、支持部材である下側ケース１２から一体に成形された筒状部１２０の端部側とを部分的にラップするように設けることによって、外部から光源３側に入り込もうとする水滴などを未然に防ぐことが可能となり、防水性をさらに向上することができる。また光源３から発熱した熱は、部分的に筒状壁部１１００の突出端部と筒状部１２０の端部側とが部分的にラップするように設けてなることにより、そのラップする透き間Ｇ箇所から外部へと放熱することができる。
【００３３】
また成形樹脂部品である上側ケース１１の表側に透過性の指標部２ａを施したシート板２を配置してなることにより、光源３からの照射光線は透過性の筒状壁部１１００を透過し、透過部１１０を通してシート板２の指標部２ａが透過照明される。この際、指標部の色合いを設定することにより任意の色合いにて透過照明することが可能となる。
【００３４】
またイグニッションスイッチＳ１のキーシリンダーが挿通されて組み付け固定される上側ケース１１の開口孔部１１ａの周縁箇所では、上側ケース１１の開口孔部１１ａよりも径大な開口孔２ｂをシート板２に設けることによって、上側ケース１１の開口孔部１１ａの周囲箇所が前面から判別することができるようにリング状透過部１１０ａとして設けられるため、光源３からの照射光線によってリング状透過部１１０ａを照明表示することができ、これにより夜間などにおいてイグニッションスイッチＳ１の位置を容易に確認することができる。
【００３５】
この際、リング状透過部１１０ａの背面側に傾斜した反射面１１０ｂを設けることによって、その反射面１１０ｂ箇所が光輝することによりさらにイグニッションスイッチＳ１の位置を判別しやすくなるものである。
【００３６】
なお本発明は、前記実施形態に限定されるものではなく本発明の要旨の範囲内において種々の変形実施が可能であり、例えば実施形態においては、光源３の外周を覆うように透過部１１０と一体に設けられ、成形樹脂部品の裏側へと突出する透過性の筒状壁部１１００を透明な上側ケース１１の透過部１１０と一体に設けるように形成していたが、透過部１１０および筒状壁部１１００を例えば青色に着色成形することにより、光源３からの照射光線によってシート板２の指標部２ａやリング状透過部１１０ａを青色にて透過照明することができるものであり、着色する色合いを任意に設定することによって照明色の色合いを変更することも可能となる。
【産業上の利用可能性】
【００３７】
また、前述した実施形態において詳述したように、建設機械などの表示照明装置を例にして説明したが、船舶用の表示板の照明装置あるいは農業用機械などの特殊車両の照明装置などにおいても適用することが可能である。
【符号の説明】
【００３８】
１    ケース
２    シート板
２ａ    指標部
２ｂ    開口孔
３    光源
３ａ    ソケット
４    電気コード
１１    上側ケース（成形樹脂部品）
１１ａ    開口孔部
１２    下側ケース（支持部材）
１１０    透過部
１１０ａ    リング状透過部
１１０ｂ    反射面
１１１    不透過部
１１００    筒状壁部
Ｇ    隙間
Ｐ    スイッチパネル部材
Ｓ１，Ｓ２，Ｓ３    スイッチ
【図１】
0005541505.tif 000002
【図２】
0005541505.tif 000003
【図３】
0005541505.tif 000004